(57)【要約】【課題】収納時に移動が簡便で、収納スペースが小さい設置型のペット等用のゲートを提供する。【解決手段】ペットの侵入を防止する侵入防止面２２と、侵入防止面２２の下部に回動可能に取り付けられ、床面と接し、侵入しようとするペットが乗ったときの荷重により、ペットが侵入防止面２２を押したときの犬用ゲート２１の移動を防止する移動防止面２５と、下の直角三角形状部及び上の直角三角形状部を有する支持部２４、２７とを備える。支持部２４、２７は、設置時に侵入防止面２２と移動防止面２５とを垂直に保つための切れ込み部を備える。下の直角三角形状部及び上の直角三角形状部は、収納時に全体を折りたたむための切れ込み部を備える。侵入防止面２２と移動防止面２５とは、それぞれ、端側の２面２２ａ、２２ｄ及び２５ａ、２５ｄの間に、折りたたみ部を介して接続された間隔調整面２２ｂ、２２ｃ及び２５ｂ、２５ｃを備える。【選択図】図５
0003142373.tif 000002
【実用新案登録請求の範囲】
【請求項１】
侵入者の侵入を防止するゲート本体と、
前記ゲート本体に取り付けられ、侵入者の荷重により前記ゲート本体の移動を防止する移動防止手段とを備える
ことを特徴とするゲート。
【請求項２】
前記ゲート本体及び前記移動防止手段が回動可能に接続され、さらに、
前記ゲート本体及び前記移動防止手段にそれぞれ回動可能に接続された第１支持部と、
第１折りたたみ部を介して前記第１支持部と隣接する第２支持部とを有し、
前記第１支持部及び前記第２支持部に設けられた第２折りたたみ部により折りたたみ可能な支持部を、備える
ことを特徴とする請求項１記載のゲート。
【請求項３】
前記ゲート本体及び前記移動防止手段は、それぞれ、折りたたみ機構を有する間隔調整部を備える
ことを特徴とする請求項１または２記載のゲート。
【考案の詳細な説明】
【技術分野】
【０００１】
本考案は、主に屋内で使用され、特定の場所への犬などのペット等の侵入を防止するゲートに関する。
【背景技術】
【０００２】
屋内で犬などのペットを飼育している家庭では、例えば来客や料理中などの時間に、ペットの特定の場所への侵入を防ぐために、ペット用ゲートが通路や室の入口等に間仕切りとして設置される。また、幼児の特定の場所への侵入を防ぎたい場合も同様である。
【０００３】
従来のペット及び幼児用ゲートには、第１のタイプとして、廊下・階段・玄関口等の通路に取り付けるタイプがある。例えば、あるペット及び幼児用ゲートは、通行口の対向面に対設できる扉取付部材と、一方の対向面の扉取付部材に、鉛直軸回り回動自在に枢着した扉と、他方の対向面の扉取付部材に設けた受け部と当該受け部に係合するために扉に設けた係合部材を操作する操作部とからなるロック装置と、扉を前後両開きから片開きに開方向を規制でき且つ扉に固定できるストッパーとを備える。これにより、廊下、玄関口、階段の上側の通路に取り付ける場合等の各種ニーズに応じて扉の開放方向規制の有無、及び片開き前後方向の変更が容易になり、幼児等の転落等の不慮の事故を未然防止している（特許文献１参照）。
【０００４】
また、上記の取り付け型ゲートの他に、取り付けずに移動が可能で、通路に設置するだけのタイプがある。この設置型ゲートは、ペットや幼児の侵入を防止するゲート本体と、ゲート本体を保持するためゲート本体の下部に取り付けられた支持部とを備えており、通常では木製や金属製である。
【特許文献１】特開２００７−１８２７３８号公報
【考案の開示】
【考案が解決しようとする課題】
【０００５】
しかし、従来の取り付け型ゲートは、構造が複雑で、取り付けをすることができる通路が取り付け部の構造上制限されたり、取り付けができる場合であっても取り付けに時間と手間がかかったり、設置時に壁に穴やキズをつけたり、価格が高価になる等の問題がある。
【０００６】
また、従来の設置型ゲートは、取り付けをする手間はない代わりに、ペット等が押してもゲートの設置位置が前後左右にずれたり、ゲート本体が倒れたりしないようにする必要がある。そのため、木や金属などの重量のある材質を用いなければならない。そうすると、人間が通るときにはその重いゲートをずらす必要があり、そこを頻繁に移動する場合や、力の弱い人にとっては負担が大きい。また、床面等にキズをつけたり、ペット等がゲートに当たってケガをしたりする可能性もある。さらに、従来の取り付け型ゲート及び設置型ゲートは、一般的に高価であり、また、かなりの収納スペースをとるという問題もある。
【０００７】
そこで、本考案は、収納時に移動が簡便で、収納スペースが小さい設置型のペット等用のゲートを提供することを目的とする。
【課題を解決するための手段】
【０００８】
上記の目的を達成するため、本考案に係るゲートは、侵入者の侵入を防止するゲート本体と、前記ゲート本体に取り付けられ、侵入者の荷重により前記ゲート本体の移動を防止する移動防止手段とを備えることを特徴とする。これにより、ペット等が侵入しようとして移動防止手段の上に乗ると、その荷重によりゲート本体が安定し、ペット等がゲート本体を押しても前後左右に移動しなくなるため、ペット等の侵入が防止できる。
【０００９】
さらに、前記ゲート本体及び前記移動防止手段が回動可能に接続され、前記ゲート本体及び前記移動防止手段にそれぞれ回動可能に接続された第１支持部と、第１折りたたみ部を介して前記第１支持部と隣接する第２支持部とを有し、前記第１支持部及び前記第２支持部に設けられた第２折りたたみ部により折りたたみ可能な支持部を備えてもよい。これにより、第１折りたたみ部で支持部を折りたたむことにより、ゲート本体と移動防止手段とを略垂直に保って強固に固定して設置し、かつ、第２折りたたみ部で支持部を折りたたむことにより、ゲート本体と移動防止手段とを折りたたんで収納できるため、本ゲートの移動が簡便になり、収納スペースが小さくてすむ。
【００１０】
さらに、前記ゲート本体及び前記移動防止手段は、それぞれ、折りたたみ機構を有する間隔調整部を備えるようにしてもよい。これにより、本ゲートが設置される通路等の間隔にちょうど合う幅に調整することができる。
【考案の効果】
【００１１】
本考案に係るゲートによれば、ペット等が侵入しようとして前記移動防止手段の上に乗ると、その荷重によりゲートが安定し、ペット等が前記ゲート本体を押しても前後左右に移動しなくなるため、ペット等の侵入が防止できる。
【考案を実施するための最良の形態】
【００１２】
以下では、本考案を実施するための最良の形態について図面を参照しながら説明を行う。
【実施例１】
【００１３】
図１は、本考案の実施例１に係る犬用ゲートの斜視図である。犬用ゲート１は、設置される床面と垂直で、ペットの犬が特定の場所に侵入するのを防止するための十分な高さ・幅と強度を有する侵入防止面２と、側方からの侵入を防止するための侵入防止側面３、３と、侵入防止面２及び侵入防止側面３、３を垂直に保つための支持部４、４と、ペットの犬が犬用ゲート１に近付いて、特定の場所に侵入しようとするのを検知し、犬用ゲート１の移動を防止するための移動防止面５とを備える。移動防止面５は、移動防止第１面５ａ〜移動防止第４面５ｄで構成され、折りたたむことができるようになっている。詳細は後述する。
【００１４】
犬用ゲート１は、移動防止面５のある方を犬に留まっていてほしい方向に、移動防止面５のない方を侵入してほしくない方に向けて通路などに設置する。
【００１５】
犬用ゲート１のすべての構成要素である侵入防止面２、侵入防止側面３、支持部４及び移動防止面５は、柔らかく軽量で低コストである素材のポリエチレン製である。これにより、人間が通るときや、ペットが侵入してもよくなったときに犬用ゲート１の位置をずらす作業や運搬が容易になる。また、ペットが犬用ゲート１に当たってケガをする可能性もなくなる。また、従来の木製や金属製のゲートのように、床面や壁にキズがつくのを防止するためのゴムパッド等が不要である。また、従来のゲートよりも低価格で供給可能となる。
【００１６】
図２は、本考案の実施例１に係る犬用ゲート１の使用時の側面図である。犬用ゲート１を通路に置くだけで、犬が侵入しようとして移動防止面５の上に乗ると、その荷重により犬用ゲート１が安定し、犬が侵入防止面２を押しても前後左右に移動しなくなるため、柔らかく軽量な素材を用いていても設置位置がずれず、犬の侵入が防止できる。
【００１７】
図３は、本考案の実施例１に係る犬用ゲート１における侵入防止面２及び移動防止面５の垂直断面図である。図３（ａ）は、移動防止面５を水平に折りたたんだときの構造を示している。一番下に移動防止第１面５ａ、その上に移動防止第２面５ｂ、その上に移動防止第３面５ｃ、その上に移動防止第４面５ｄが乗る構造である。侵入防止面２及び移動防止面５は、内部がポリエチレン製であり、その表面にポリプロピレンフィルムが貼られている構造である。したがって、図のように移動防止面５の表面と裏面に交互に切れ込みを入れてあっても容易に断裂することはない。
【００１８】
図３（ｂ）は、移動防止面５を伸ばそうとするときの構造を示している。移動防止第１面５ａにおける侵入防止面２と反対側の端面の上側で、移動防止第２面５ｂの端面の上側と接続されている。さらに、その移動防止第２面５ｂの反対側の端面の下側で、移動防止第３面５ｃの端面の下側と接続されている。さらに、その移動防止第３面５ｃの反対側の端面の上側で、移動防止第４面５ｄの端面の上側と接続されている。
【００１９】
図３（ｃ）及び図３（ｄ）は、図３（ａ）及び図３（ｂ）で示した実施例１の変形実施例に係る犬用ゲートにおける侵入防止面２及び移動防止面６の垂直断面図である。図３（ｃ）は、移動防止面６を垂直に折りたたんだときの構造を示している。侵入防止面２に接するように移動防止第１面６ａ、侵入防止面２と反対の方向に移動防止第２面６ｂ、さらに移動防止第３面６ｃ、さらに移動防止第４面６ｄが設置される構造である。
【００２０】
図３（ｄ）は、移動防止面６を伸ばそうとするときの構造を示している。侵入防止面２の底面と移動防止第１面６ａの端面の上側が接続されている。移動防止第１面６ａにおける侵入防止面２と反対側の端面の下側で、移動防止第２面６ｂの端面の下側と接続されている。さらに、その移動防止第２面６ｂの反対側の端面の上側で、移動防止第３面６ｃの端面の上側と接続されている。さらに、その移動防止第３面６ｃの反対側の端面の下側で、移動防止第４面６ｄの端面の下側と接続されている。移動防止面５、６がこのような折りたたみ機構を有しているので、収納時には本ゲートの移動が簡便で、収納スペースが小さくてすむ。
【実施例２】
【００２１】
図４（ａ）は、本考案の実施例２に係る犬用ゲートの斜視図である。犬用ゲート１１は、設置される床面と垂直で、ペットの犬が特定の場所に侵入するのを防止するための十分な高さ・幅と強度を有する侵入防止面１２と、ペットの犬が犬用ゲート１１に近付いて、特定の場所に侵入しようとするのを検知し、犬用ゲート１１の移動を防止するための移動防止面１５と、設置時に侵入防止面１２と移動防止面１５とを垂直に保ち、かつ、収納時に全体を折りたたむための支持部１４、１７とを備える。材質は、実施例１と同様のポリエチレン製である。
【００２２】
図４（ｂ）に示されるように、支持部１４は、展開したときには四角形状を有し、下の直角三角形状部１４ａとそれと対称な上の直角三角形状部１４ｂとからなり、その２つの直角三角形状部１４ａ及び１４ｂの接する場所に、犬用ゲート１１の外側からの切れ込み部１４ｅを有する。この切れ込み部１４ｅで折りたたんだ場合には、支持部１４は、下の直角三角形状部１４ａと対称な上の直角三角形状部１４ｂとがぴったりと重なり合う。このように支持部１４が重なり合って固定された設置時の状態が図４（ａ）に表されており、支持部１４により侵入防止面１２と移動防止面１５とが垂直な状態に固定される。
【００２３】
なお、接続部１４ｃは、下の直角三角形状部１４ａと移動防止面１５とを回動可能に接続している。すなわち、接続部１４ｃと下の直角三角形状部１４ａとが切れ込み部を介して接続されており、接続部１４ｃが移動防止面１５と固定されている。また、接続部１４ｆは、下の直角三角形状部１４ａと侵入防止面１２とを回動可能に接続している。すなわち、接続部１４ｆと下の直角三角形状部１４ａとが切れ込み部を介して接続されており、接続部１４ｆが侵入防止面１２と固定されている。また、接続部１８は、侵入防止面１２と移動防止面１５とを回動可能に接続している。すなわち、接続部１８と移動防止面１５とが切れ込み部を介して接続されており、接続部１８が侵入防止面１２と固定されている。
【００２４】
また、図４（ａ）及び図４（ｂ）に示されるように、下の直角三角形状部１４ａ及び上の直角三角形状部１４ｂは、下の直角三角形状部１４ａの直角をなす頂点を通り、その頂角を２等分する（すなわち底辺から４５度の角度で延びる）犬用ゲート１１の内側からの切れ込み部１４ｄを有する。その切れ込み部１４ｄで、下の直角三角形状部１４ａ及び上の直角三角形状部１４ｂを折り曲げている途中の様子が図４（ｃ）に示されている。下の直角三角形状部１４ａと上の直角三角形状部１４ｂとが、ともに切れ込み部１４ｄで犬用ゲート１１の内側に折り曲げられる。
【００２５】
このようにして、下の直角三角形状部１４ａ及び上の直角三角形状部１４ｂを切れ込み部１４ｄで完全に折り曲げると、上の直角三角形状部１４ｂと下の直角三角形状部１４ａとのなす角度がゼロになる。同時に、下の直角三角形状部１４ａにともに回動可能に接続されている侵入防止面１２と移動防止面１５とのなす角もともにゼロとなり、すべての面が平行となって、犬用ゲート１１を完全に折りたたむことができる。したがって、収納時には輸送が便利になり、また、収納スペースが少なくて済む。支持部１７の構成については、支持部１４と左右対称の構成のため、説明を省略する。
【実施例３】
【００２６】
図５は、本考案の実施例３に係る犬用ゲートの斜視図である。犬用ゲート２１は、設置される床面と垂直で、ペットの犬が特定の場所に侵入するのを防止するための十分な高さ・幅と強度を有する侵入防止面２２と、ペットの犬が犬用ゲート２１に近付いて、特定の場所に侵入しようとするのを検知し、犬用ゲート２１の移動を防止するための移動防止面２５と、設置時に侵入防止面２２と移動防止面２５とを垂直に保ち、かつ、収納時に全体を折りたたむための支持部２４、２７とを備える。材質は、実施例１と同様のポリエチレン製である。
【００２７】
さらに、侵入防止面２２は、支持部２４及び２７が接続された端側の２面２２ａ及び２２ｄの間に、それぞれ正面から見て山折りの折りたたみ部を介して間隔調整面２２ｂ及び２２ｃとを備えている。間隔調整面２２ｂ及び２２ｃは、幅が同じ長さであり、正面から見て谷折りの折りたたみ部を介して互いに接続されている。この構成により、間隔調整面２２ｂ及び２２ｃを折りたたんだ場合、後方（移動防止面２５とは逆の方向）に折りたたんだ部分が出る。
【００２８】
また、移動防止面２５は、支持部２４及び２７が接続された端側の２面２５ａ及び２５ｄの間に、それぞれ、上から見て谷折りの折りたたみ部を介して間隔調整面２５ｂ及び２５ｃとを備えている。間隔調整面２５ｂ及び２５ｃは、幅が同じ長さであり、上から見て山折りの折りたたみ部を介して互いに接続されている。この構成により、間隔調整面２５ｂ及び２５ｃを折りたたんだ場合、上方に折りたたんだ部分が出る。なお、各折りたたみ部は実施例２と同様に、切れ込み部により構成されている。
【００２９】
間隔調整面２２ｂ及び２２ｃと間隔調整面２５ｂ及び２５ｃとは、本ゲート２１が設置される通路等の間隔にちょうど合うように、本ゲート２１の幅を調整するために連動して折りたたむことができるものであり、完全に折りたたんだ場合には、本ゲート２１の幅は、端側の２面２２ａ及び２２ｄの幅の合計（すなわち、２５ａ及び２５ｄの幅の合計）程度に縮むことになる。
【００３０】
なお、侵入防止面の端側の面２２ａと、移動防止面の端側の面２５ａとが正面から見て谷折り可能なように接続されている。また、侵入防止面の端側の面２２ｄと、移動防止面の端側の面２５ｄとが正面から見て谷折り可能なように接続されている。一方、侵入防止面の間隔調整面２２ｂ及び２２ｃは、移動防止面の間隔調整面２５ｂ及び２５ｃとは接続されていない。この構成により、侵入防止面２２と移動防止面２５とが、幅の調整を行うときに連動して伸縮することになる。
【００３１】
侵入防止面２２と移動防止面２５に回動可能に接続されている支持部２４、２７の構造は、実施例２で説明を行った支持部１４、１７の構造と同様であるので、説明を省略する。なお、支持部２４における孔部２６は、収納時に全体を折りたたむ場合に、折りたたみやすいようにするためのものである。支持部２７にも同様の孔部が設けられている。
【００３２】
以上で説明を行った本考案に係る犬用ゲート１、１１、２１は、極めて簡単な構造の部品のみで構成して、製造コストを低くすることができ、低価格で実現可能である。また、本考案に係る犬用ゲートは、家庭における様々な場所に、時間と手間をかけずに設置することができる。
【００３３】
なお、本考案に係る犬用ゲートは、以上で述べた実施例の構成や構造に限定されることはない。例えば、ペットの大きさに合わせて侵入防止面２、１２、２２の高さを調節できるように、延長部や増設部を設けるようにしてもよい。また、図１における侵入防止側面３を特に設けない構成にしてもよい。図１における侵入防止面２と移動防止第１面５ａとを十分な強度で接続して、支持部４は特に設けない構成にしてもよい。各部の形状は、長方形以外の形状であってもよい。反対側からペットの様子が確認できるように、侵入防止面２、１２などに１つまたは複数の孔を設けてもよい。移動防止面５、６、１５を網状等のもので構成してもよく、１つまたは複数の孔を設けてもよい。
【００３４】
また、図１における侵入防止面２、侵入防止側面３、支持部４及び移動防止第１面５ａの全部又はいずれか２つ以上を一体とする構成にしてもよい。移動防止面５は、折りたたみ構造ではなく、移動防止第１面５ａのみの１段構成で、侵入防止面２と固定されていてもよい。また、実施例１のような４段構成でなく、２段、３段、または５段以上の構成でもよい。また、巻いて収納できる構造にしてもよい。また、移動防止面５、１５を侵入防止面２、１２の両側に取り付けて、例えば複数の犬がいる場合、犬の居場所を両側に分離できるようにしてもよい。
【００３５】
実施例２における支持部１４等の有する折りたたみ機構について、折りたたんだ時に容易に開かないように釦やテープ等で構成される係止・係合手段を設けてもよい。また、実施例では支持部１４を２つの対称な直角三角形状部で構成したが、異なる大きさの他の形状を有する部品で構成してもよい。また、切れ込み部によって折りたたみ機構を構成したが、蝶番等の他の折りたたみ用部品を用いて構成してもよい。素材は、ポリエチレンに限らず、プラスチックや他の発泡合成樹脂、木、金属などの素材を用いてもよい。
【００３６】
また、実施例１〜３における侵入防止面２、１２、２２は、それぞれ移動防止面５、１５、２５に対して垂直になるように構成したが、垂直ではなく傾斜させるように構成してもよい。特に、移動防止面５、１５、２５側に傾斜させるように構成した場合は、犬等が侵入防止面２、１２、２２に寄りかかって、犬用ゲート１、１１、２１が転倒してしまうのを防止する効果が大きい。
【産業上の利用可能性】
【００３７】
本考案は、室内で使用されるペット等用ゲートに適用できる。
【図面の簡単な説明】
【００３８】
【図１】本考案の実施例１に係る犬用ゲートの斜視図である。
【図２】本考案の実施例１に係る犬用ゲートの使用時の側面図である。
【図３】本考案の実施例１に係る犬用ゲートの断面図である。
【図４】本考案の実施例２に係る犬用ゲートの全体及び部分斜視図である。
【図５】本考案の実施例３に係る犬用ゲートの斜視図である。
【符号の説明】
【００３９】
１、１１、２１  犬用ゲート
２、１２、２２  侵入防止面
３        侵入防止側面
４、１４、１７、２４、２７  支持部
５、１５、２５  移動防止面
１４ａ    下の直角三角形状部
１４ｂ    上の直角三角形状部
１４ｃ、１４ｆ    接続部
１４ｄ    収納時に使用する切れ込み部
１４ｅ    設置時に使用する切れ込み部
２２ｂ、２２ｃ、２５ｂ、２５ｃ  間隔調整面
２６      支持部２４における孔部
【図１】
0003142373.tif 000003
【図２】
0003142373.tif 000004
【図３】
0003142373.tif 000005
【図４】
0003142373.tif 000006
【図５】
0003142373.tif 000007